(57)【要約】【課題】容器本体に対する蓋体の開き角度を任意の角度に維持することができ、構造が簡易なコンパクト容器を提供する。【解決手段】本発明のコンパクト容器の一つの態様において、ヒンジ部（５０）は、回転軸（Ｏ２）に沿う回転軸方向に間隔を空けて配置された一対の壁部（２３ａ，２３ｂ）と、一対の壁部同士の間に挿入された凸部（３４）と、一方の壁部（２３ａ）の穴部（２５ａ）と凸部に形成された穴部（３５ａ）とに跨って嵌め合わされる第１ピン（６１）と、他方の壁部（２３ｂ）の穴部（２５ｂ）と凸部に形成された穴部（３５ｂ）とに跨って嵌め合わされる第２ピン（６２）と、を備え、第１ピンおよび第２ピンのそれぞれにおいて、容器本体に形成された側の穴部に嵌め合わされた部分の寸法（Ｌ１ａ，Ｌ２ａ）は、５．０ｍｍ以上であり、かつ、蓋体に形成された側の穴部に嵌め合わされた部分の寸法（Ｌ１ｂ，Ｌ２ｂ）は、７．０ｍｍ以下である。【選択図】図３
2019080855.tif 000002
【特許請求の範囲】
【請求項１】
容器本体と、
前記容器本体の外周縁部にヒンジ部を介して取り付けられ、前記容器本体に対して、前記容器本体の容器軸に沿う方向と直交する回転軸回りに回転可能な蓋体と、
を備え、
前記ヒンジ部は、
前記容器本体と前記蓋体とのうちの一方に設けられ、前記回転軸に沿う回転軸方向に間隔を空けて配置された一対の壁部と、
前記容器本体と前記蓋体とのうちの他方に設けられ、前記一対の壁部同士の間に挿入された凸部と、
前記回転軸方向に延び、前記一対の壁部のうちの一方の壁部に形成された穴部と前記凸部に形成された穴部とに跨って嵌め合わされて前記一方の壁部と前記凸部とを連結する第１ピンと、
前記回転軸方向に延び、前記一対の壁部のうちの他方の壁部に形成された穴部と前記凸部に形成された穴部とに跨って嵌め合わされて前記他方の壁部と前記凸部とを連結する第２ピンと、
を備え、
前記第１ピンおよび前記第２ピンのそれぞれにおいて、
前記壁部の穴部と前記凸部の穴部とのうち前記容器本体に形成された側の穴部に嵌め合わされた部分の前記回転軸方向の寸法は、５．０ｍｍ以上であり、かつ、
前記壁部の穴部と前記凸部の穴部とのうち前記蓋体に形成された側の穴部に嵌め合わされた部分の前記回転軸方向の寸法は、７．０ｍｍ以下であることを特徴とするコンパクト容器。
【請求項２】
前記第１ピンおよび前記第２ピンのそれぞれにおいて、
前記容器本体に形成された側の穴部に嵌め合わされた部分の前記回転軸方向の寸法は、５．５ｍｍ以上であることを特徴とする請求項１に記載のコンパクト容器。
【請求項３】
前記第１ピンおよび前記第２ピンのそれぞれにおいて、
前記壁部の穴部と前記凸部の穴部とのうち前記蓋体に形成された側の穴部に嵌め合わされた部分の前記回転軸方向の寸法は、４．２ｍｍ以上、６．２ｍｍ以下であることを特徴とする請求項１または２に記載のコンパクト容器。
【発明の詳細な説明】
【技術分野】
【０００１】
本発明は、コンパクト容器に関する。
【背景技術】
【０００２】
容器本体と蓋体とを備えるコンパクト容器であって、容器本体に対する蓋体の開き角度を任意の角度に維持できるコンパクト容器が提案されている。例えば、特許文献１には、容器本体の内部に収容された中枠に、ヒンジ部回りに圧接する舌片を設けることで、容器本体に対する蓋体の開き角度を任意の角度に維持できる構成が記載されている。
【先行技術文献】
【特許文献】
【０００３】
【特許文献１】特開２００３−２２６３４５号公報
【発明の概要】
【発明が解決しようとする課題】
【０００４】
しかし、上記のようなコンパクト容器においては、容器本体に対する蓋体の開き角度を任意の角度に維持できる機能を持たせつつ、より構造を簡易化することに改善の余地があった。
【０００５】
本発明は、上記事情に鑑みて、容器本体に対する蓋体の開き角度を任意の角度に維持することができ、構造が簡易なコンパクト容器を提供することを目的の一つとする。
【課題を解決するための手段】
【０００６】
本発明のコンパクト容器の一つの態様は、容器本体と、前記容器本体の外周縁部にヒンジ部を介して取り付けられ、前記容器本体に対して、前記容器本体の容器軸に沿う方向と直交する回転軸回りに回転可能な蓋体と、を備え、前記ヒンジ部は、前記容器本体と前記蓋体とのうちの一方に設けられ、前記回転軸に沿う回転軸方向に間隔を空けて配置された一対の壁部と、前記容器本体と前記蓋体とのうちの他方に設けられ、前記一対の壁部同士の間に挿入された凸部と、前記回転軸方向に延び、前記一対の壁部のうちの一方の壁部に形成された穴部と前記凸部に形成された穴部とに跨って嵌め合わされて前記一方の壁部と前記凸部とを連結する第１ピンと、前記回転軸方向に延び、前記一対の壁部のうちの他方の壁部に形成された穴部と前記凸部に形成された穴部とに跨って嵌め合わされて前記他方の壁部と前記凸部とを連結する第２ピンと、を備え、前記第１ピンおよび前記第２ピンのそれぞれにおいて、前記壁部の穴部と前記凸部の穴部とのうち前記容器本体に形成された側の穴部に嵌め合わされた部分の前記回転軸方向の寸法は、５．０ｍｍ以上であり、かつ、前記壁部の穴部と前記凸部の穴部とのうち前記蓋体に形成された側の穴部に嵌め合わされた部分の前記回転軸方向の寸法は、７．０ｍｍ以下であることを特徴とする。
【０００７】
本発明のコンパクト容器の一つの態様によれば、第１ピンおよび第２ピンのそれぞれにおいて、容器本体に形成された側の穴部に嵌め合わされた部分の回転軸方向の寸法は、５．０ｍｍ以上である。そのため、第１ピンおよび第２ピンを容器本体の穴部に対して、より強固に嵌め合わせることができる。これにより、容器本体に対する蓋体の開き角度を任意の角度にしても、第１ピンおよび第２ピンが蓋体の重量に抗して、容器本体に対して回転軸回りに相対回転することを抑制できる。
【０００８】
また、例えば、第１ピンおよび第２ピンのそれぞれにおいて、蓋体に形成された側の穴部に嵌め合わされた部分の回転軸方向の寸法が比較的大きい場合、第１ピンおよび第２ピンが蓋体から力を受けやすい。そのため、蓋体の重量によって第１ピンおよび第２ピンが蓋体と共に回転しやすくなり、蓋体を任意の開き角度に維持しにくくなる。
【０００９】
これに対して本発明のコンパクト容器の一つの態様によれば、第１ピンおよび第２ピンのそれぞれにおいて、蓋体に形成された側の穴部に嵌め合わされた部分の回転軸方向の寸法は、７．０ｍｍ以下である。そのため、第１ピンおよび第２ピンが蓋体から力を受けにくく、第１ピンおよび第２ピンが蓋体と共に回転することを抑制できる。これにより、蓋体を任意の開き角度に維持しやすい。
【００１０】
以上のように、本発明のコンパクト容器の一つの態様によれば、第１ピンおよび第２ピンにおける穴部に嵌め合わされる長さを調整することによって、蓋体の開き角度を任意の角度に維持することができる。したがって、本発明のコンパクト容器の一つの態様によれば、別部材等を設けることなく、容器本体に対する蓋体の開き角度を任意の角度に維持することができ、コンパクト容器の構造を簡易にできる。
【００１１】
前記第１ピンおよび前記第２ピンのそれぞれにおいて、前記容器本体に形成された側の穴部に嵌め合わされた部分の前記回転軸方向の寸法は、５．５ｍｍ以上である構成としてもよい。
この構成によれば、第１ピンおよび第２ピンを容器本体の穴部に対して、より強固に嵌め合わせることができる。これにより、容器本体に対して回転軸回りに相対回転することをより抑制できる。
【００１２】
前記第１ピンおよび前記第２ピンのそれぞれにおいて、前記壁部の穴部と前記凸部の穴部とのうち前記蓋体に形成された側の穴部に嵌め合わされた部分の前記回転軸方向の寸法は、４．２ｍｍ以上、６．２ｍｍ以下である構成としてもよい。
この構成によれば、第１ピンおよび第２ピンが蓋体から力をより受けにくくできる。また、第１ピンおよび第２ピンにおける蓋体に嵌め合わされる長さが小さくなり過ぎることを抑制でき、蓋体が自重によって第１ピンおよび第２ピンに対して相対回転することを抑制でき、より蓋体を任意の開き角度に維持しやすい。
【発明の効果】
【００１３】
本発明の一つの態様によれば、容器本体に対する蓋体の開き角度を任意の角度に維持することができ、構造が簡易なコンパクト容器が提供される。
【図面の簡単な説明】
【００１４】
【図１】図１は、本実施形態のコンパクト容器を上側から視た平面図である。
【図２】図２は、本実施形態のコンパクト容器を示す断面図である。
【図３】図３は、本実施形態のコンパクト容器の一部を示す断面図である。
【発明を実施するための形態】
【００１５】
以下、図面を参照しながら、本発明の実施形態に係るコンパクト容器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１６】
本実施形態のコンパクト容器１０は、図１および図２に示すように、平面視円形状の扁平容器である。コンパクト容器１０は、容器本体２０と、蓋体３０と、内容器４０と、を備えている。容器本体２０は、有底の円筒状である。蓋体３０は、容器本体２０の外周縁部にヒンジ部５０を介して取り付けられている。蓋体３０は、容器本体２０に対して、回転軸Ｏ２回りに回転可能である。回転軸Ｏ２は、容器本体２０の中心軸線（容器軸Ｏ１）に沿う方向と直交する。内容器４０は、容器本体２０内に収容されている。なお、図１においては、内容器４０の図示は省略している。
【００１７】
以下では、容器本体２０の中心軸線を容器軸Ｏ１と呼び、容器軸Ｏ１に沿う方向を上下方向（Ｚ軸方向）と呼ぶ。図２に示す蓋体３０が閉じた状態において、上下方向に沿って蓋体３０側（＋Ｚ側）を上側と呼び、容器本体２０側（−Ｚ側）を下側と呼ぶ。また、回転軸Ｏ２に沿う方向を左右方向（Ｙ軸方向）と呼び、容器軸Ｏ１および回転軸Ｏ２の両方と直交する方向を前後方向（Ｘ軸方向）と呼ぶ。また、ある対象に対して、左右方向における容器本体２０の中心（容器軸Ｏ１）に近い側を「左右方向内側」と呼び、左右方向における容器本体２０の中心から遠い側を「左右方向外側」と呼ぶ。前後方向に沿って、容器軸Ｏ１に対する回転軸Ｏ２側（＋Ｘ側）を後側と呼び、その反対側（−Ｘ側）を前側と呼ぶ。また、容器軸Ｏ１に直交する方向を径方向と呼ぶ。
【００１８】
容器本体２０は、図２に示すように、容器軸Ｏ１と同軸に配置された円板状の底板部２１と、底板部２１の外周縁部から上側に延びる略円筒状の筒状壁部２２と、を備えている。
筒状壁部２２の径方向内側には内容器４０が設置されている。筒状壁部２２の前端部には、開閉操作部２４が設けられている。筒状壁部２２の前端部における上端部には、径方向外側に突出する係合突起２２ｂが設けられている。
筒状壁部２２の後端部には、径方向内側に窪む凹部２２ａが形成されている。これにより、図１に示すように、凹部２２ａの左右方向の両側には、回転軸Ｏ２に沿う回転軸方向に間隔を空けて配置された一対の壁部２３ａ，２３ｂが設けられている。凹部２２ａは、筒状壁部２２を上下方向に貫通する。凹部２２ａの内部は、上下方向に沿って視て矩形状である。以下の説明においては、回転軸Ｏ２に沿う回転軸方向を単に「回転軸方向」と呼ぶ。
【００１９】
一対の壁部２３ａ，２３ｂにおける左右方向内側の面は、回転軸Ｏ２と直交する。一対の壁部２３ａ，２３ｂのそれぞれには、図３に示すように、本体側穴部（穴部）２５ａ，２５ｂが形成されている。本体側穴部２５ａは、一対の壁部２３ａ，２３ｂのうちの一方の壁部２３ａの左右方向内側の面から回転軸Ｏ２に沿って左右方向外側に延び、壁部２３ａを左右方向に貫通している。本体側穴部２５ｂは、一対の壁部２３ａ，２３ｂのうちの他方の壁部２３ｂの左右方向内側の面から回転軸Ｏ２に沿って左右方向外側に延び、壁部２３ｂを左右方向に貫通している。図示は省略するが、本体側穴部２５ａ，２５ｂの断面形状は、例えば、回転軸Ｏ２を中心とする円形状である。本体側穴部２５ａ，２５ｂにおける左右方向外側の部分の内径は、本体側穴部２５ａ，２５ｂにおける左右方向内側の部分の内径よりも大きくなっている。
【００２０】
蓋体３０は、容器本体２０における筒状壁部２２の後端部にヒンジ部５０を介して取り付けられている。蓋体３０は、容器本体２０の上端開口を開閉可能である。図１においては、蓋体３０が開いた状態を示している。図２においては、蓋体３０が閉じた状態を示している。なお、以下の説明における各部の位置関係は、特に断りのない限り、蓋体３０が閉じた状態における位置関係とする。
蓋体３０は、図２に示すように、容器軸Ｏ１と同軸に配置され、下側に開口する有蓋の円筒状である。蓋体３０は、容器軸Ｏ１と同軸に配置された略円板状の天板部３１と、天板部３１の外周縁部から下側に延びる略円筒状の筒部３２と、天板部３１における前端部から下側に突出する係合部３３と、凸部３４と、を備えている。天板部３１の下面には、鏡Ｍが固定されている。
【００２１】
係合部３３は、筒部３２の径方向内側に配置されている。係合部３３の下端部には、径方向内側（後側）に突出する係合突起３３ａが設けられている。係合突起３３ａは、筒状壁部２２に設けられた係合突起２２ｂと係合する。これにより、蓋体３０が閉じた状態において、蓋体３０が開くことが規制されている。蓋体３０を開く際、使用者は、開閉操作部２４を径方向内側（後側）に押圧して、開閉操作部２４を径方向内側（後側）に移動させる。これにより、開閉操作部２４によって係合部３３が上側に押し上げられて、係合部３３の係合突起３３ａが筒状壁部２２の係合突起２２ｂから外れる。したがって、使用者は、蓋体３０を開くことが可能となる。
【００２２】
凸部３４は、筒部３２の後端部に設けられている。凸部３４は、筒部３２よりも下側に突出している。凸部３４は、図３に示すように、一対の壁部２３ａ，２３ｂ同士の間に挿入されている。本実施形態では、凸部３４における下側の部分である挿入部３４ａが、一対の壁部２３ａ，２３ｂ同士の間に挿入されている。挿入部３４ａは、図２および図３に示すように、回転軸Ｏ２を中心として左右方向に延びる略円柱状である。挿入部３４ａの左右方向外側の面は、回転軸Ｏ２と直交する。図３に示すように、挿入部３４ａの左右方向外側の面と壁部２３ａ，２３ｂの左右方向内側の面とは、隙間を介して左右方向に対向している。
【００２３】
凸部３４には、蓋体側穴部（穴部）３５ａ，３５ｂが形成されている。蓋体側穴部３５ａは、凸部３４の左右方向外側の面のうち壁部２３ａと対向する側の面から回転軸Ｏ２に沿って左右方向内側に延びている。蓋体側穴部３５ａの左右方向外側の開口は、壁部２３ａに形成された本体側穴部２５ａの左右方向内側の開口と対向している。蓋体側穴部３５ｂは、凸部３４の左右方向外側の面のうち壁部２３ｂと対向する側の面から回転軸Ｏ２に沿って左右方向内側に延びている。蓋体側穴部３５ｂの左右方向外側の開口は、壁部２３ｂに形成された本体側穴部２５ｂの左右方向内側の開口と対向している。蓋体側穴部３５ａ，３５ｂは、底部を有する穴である。図示は省略するが、蓋体側穴部３５ａ，３５ｂの断面形状は、例えば、回転軸Ｏ２を中心とする円形状である。蓋体側穴部３５ａ，３５ｂの左右方向外側の端部は、左右方向外側に向かうに従って内径が大きくなる拡径部である。
【００２４】
本実施形態において蓋体３０の材質は、例えば、ＡＢＳ樹脂、ＡＳ樹脂、ＰＥＴ（ポリエチレンテレフタレート）、ＰＣＴ（ポリシクロへキシレンジメチレンテレフタレート）等の樹脂である。蓋体３０の質量は、例えば、５ｇ以上、５０ｇ以下である。また、蓋体３０に固定された鏡Ｍの質量は、例えば、５ｇ以上、２０ｇ以下である。鏡Ｍが固定された蓋体３０の総質量は、例えば、１０ｇ以上、７０ｇ以下である。
【００２５】
容器本体２０と蓋体３０とは、第１ピン６１と第２ピン６２とによって連結されている。第１ピン６１および第２ピン６２は、回転軸方向に延びている。第１ピン６１および第２ピン６２は、回転軸Ｏ２を中心とする円柱状である。第１ピン６１の外径および第２ピン６２の外径は、例えば、１．５ｍｍ以上、１．８ｍｍ以下である。第１ピン６１の材質および第２ピン６２の材質は、例えば、ステンレス（ＳＵＳ）等の金属である。第１ピン６１の回転軸方向の寸法および第２ピン６２の回転軸方向の寸法は、例えば、１０ｍｍ以上、１４ｍｍ以下である。本実施形態において、第１ピン６１の回転軸方向の寸法と第２ピン６２の回転軸方向の寸法とは、互いに同じである。
【００２６】
第１ピン６１は、容器本体２０における一対の壁部２３ａ，２３ｂのうちの一方の壁部２３ａに形成された本体側穴部２５ａと蓋体３０における凸部３４に形成された蓋体側穴部３５ａとに跨って嵌め合わされて一方の壁部２３ａと凸部３４とを連結している。第１ピン６１は、各本体側穴部２５ａ，３５ａに圧入されている。より詳細には、第１ピン６１は、本体側穴部２５ａの左右方向内側の部分と蓋体側穴部３５ａの左右方向外側の部分とに圧入されている。第１ピン６１と本体側穴部２５ａとの締め代は、第１ピン６１と蓋体側穴部３５ａとの締め代と同じである。第１ピン６１と本体側穴部２５ａとの締め代および第１ピン６１と蓋体側穴部３５ａとの締め代は、例えば、０．０５ｍｍ以上、０．１５ｍｍ以下である。
【００２７】
第１ピン６１において、壁部２３ａの本体側穴部２５ａと凸部３４の蓋体側穴部３５ａとのうち容器本体２０に形成された側の本体側穴部２５ａに嵌め合わされた部分の回転軸方向の寸法Ｌ１ａは、５．０ｍｍ以上である。より好ましくは、寸法Ｌ１ａは、５．５ｍｍ以上である。このような数値範囲とすることで、後述する開き角度θを任意の角度でより維持しやすい。寸法Ｌ１ａは、例えば、６ｍｍ以下である。本実施形態において第１ピン６１における本体側穴部２５ａに嵌め合わされた部分とは、第１ピン６１のうち本体側穴部２５ａに対して圧入されている部分である。
【００２８】
第１ピン６１において、壁部２３ａの本体側穴部２５ａと凸部３４の蓋体側穴部３５ａとのうち蓋体３０に形成された側の蓋体側穴部３５ａに嵌め合わされた部分の回転軸方向の寸法Ｌ１ｂは、７．０ｍｍ以下である。より好ましくは、寸法Ｌ１ｂは、４．２ｍｍ以上、６．２ｍｍ以下である。このような数値範囲とすることで、後述する開き角度θを任意の角度でより維持しやすい。本実施形態において第１ピン６１における蓋体側穴部３５ａに嵌め合わされた部分とは、第１ピン６１のうち蓋体側穴部３５ａに対して圧入されている部分である。
【００２９】
第２ピン６２は、容器本体２０における一対の壁部２３ａ，２３ｂのうちの他方の壁部２３ｂに形成された本体側穴部２５ｂと蓋体３０における凸部３４に形成された蓋体側穴部３５ｂとに跨って嵌め合わされて他方の壁部２３ｂと凸部３４とを連結している。第２ピン６２は、本体側穴部２５ｂおよび蓋体側穴部３５ｂに圧入されている。より詳細には、第２ピン６２は、本体側穴部２５ｂの左右方向内側の部分と蓋体側穴部３５ｂの左右方向外側の部分とに圧入されている。
【００３０】
第２ピン６２と本体側穴部２５ｂとの締め代は、第２ピン６２と蓋体側穴部３５ｂとの締め代と同じである。第２ピン６２と本体側穴部２５ｂとの締め代および第２ピン６２と蓋体側穴部３５ｂとの締め代は、例えば、第１ピン６１と本体側穴部２５ａとの締め代および第１ピン６１と蓋体側穴部３５ａとの締め代と同じである。第２ピン６２と本体側穴部２５ｂとの締め代および第２ピン６２と蓋体側穴部３５ｂとの締め代は、例えば、０．０５ｍｍ以上、０．１５ｍｍ以下である。
【００３１】
第２ピン６２において、壁部２３ｂの本体側穴部２５ｂと凸部３４の蓋体側穴部３５ｂとのうち容器本体２０に形成された側の本体側穴部２５ｂに嵌め合わされた部分の回転軸方向の寸法Ｌ２ａは、５．０ｍｍ以上である。より好ましくは、寸法Ｌ２ａは、５．５ｍｍ以上である。このような数値範囲とすることで、後述する開き角度θを任意の角度でより維持しやすい。寸法Ｌ２ａは、例えば、６ｍｍ以下である。本実施形態において第２ピン６２における本体側穴部２５ｂに嵌め合わされた部分とは、第２ピン６２のうち本体側穴部２５ｂに対して圧入されている部分である。
【００３２】
第２ピン６２において、壁部２３ｂの本体側穴部２５ｂと凸部３４の蓋体側穴部３５ｂとのうち蓋体３０に形成された側の蓋体側穴部３５ｂに嵌め合わされた部分の回転軸方向の寸法Ｌ２ｂは、７．０ｍｍ以下である。より好ましくは、寸法Ｌ２ｂは、４．２ｍｍ以上、６．２ｍｍ以下である。このような数値範囲とすることで、後述する開き角度θを任意の角度でより維持しやすい。本実施形態において第２ピン６２における蓋体側穴部３５ｂに嵌め合わされた部分とは、第２ピン６２のうち蓋体側穴部３５ｂに対して圧入されている部分である。
本実施形態において第１ピン６１の寸法Ｌ１ａと第２ピン６２の寸法Ｌ２ａとは、互いに同じである。第１ピン６１の寸法Ｌ１ｂと第２ピン６２の寸法Ｌ２ｂとは、互いに同じである。
【００３３】
本実施形態において、ヒンジ部５０は、一対の壁部２３ａ，２３ｂと、凸部３４と、第１ピン６１と、第２ピン６２と、によって構成されている。蓋体３０が容器本体２０に対して回転軸Ｏ２回りに回転する際、第１ピン６１および第２ピン６２は、一対の壁部２３ａ，２３ｂと凸部３４との少なくとも一方に対して相対的に回転する。本実施形態において第１ピン６１および第２ピン６２は、蓋体３０が容器本体２０に対して回転軸Ｏ２回りに回転する際、凸部３４（蓋体３０）と一体となって回転軸Ｏ２回りに回転し、一対の壁部２３ａ，２３ｂ（容器本体２０）に対して相対回転する。これにより、第１ピン６１の外周面および第２ピン６２の外周面は、蓋体３０が容器本体２０に対して回転する際に、本体側穴部２５ａ，２５ｂの内周面に対して、それぞれ摺動する。
【００３４】
内容器４０は、図２に示すように、容器本体２０の内側に設置されている。内容器４０は、容器軸Ｏ１と同軸に配置された扁平円筒状の容器である。内容器４０は、上側に開口している。内容器４０の内部には、内容物Ｃが収容されている。内容物Ｃは、例えば、粉体が固められて形成されている。内容物Ｃは、例えば、ファンデーション等の化粧品である。内容物Ｃの上側には、例えば、パフＰが載置される。なお、内容物Ｃは、液状のファンデーションであってもよいし、粉状であってもよい。これらの場合には、内容器４０の上側の開口を閉塞する内蓋が設けられる。特に、内容物Ｃが液状のファンデーションである場合には、内容器４０の内部を気密に閉塞できる内蓋が設けられる。
【００３５】
本実施形態によれば、容器本体２０に対する蓋体３０の開き角度θを任意の角度に維持することができる。以下、詳細に説明する。開き角度θは、図２において実線で示す蓋体３０が閉じた状態から蓋体３０が開く向きに回転軸Ｏ２回りに回転したときの回転角度である。すなわち、図２において実線で示す蓋体３０が閉じた状態において、開き角度θは、０°である。また、図２において二点鎖線で示す蓋体３０の開いた状態において、開き角度θは、例えば、３０°である。
【００３６】
第１ピン６１および第２ピン６２のそれぞれにおいて、容器本体２０に形成された側の本体側穴部２５ａ，２５ｂに嵌め合わされた部分の回転軸方向の寸法Ｌ１ａ，Ｌ２ａは、５．０ｍｍ以上である。そのため、第１ピン６１および第２ピン６２を容器本体２０の本体側穴部２５ａ，２５ｂに対して、より強固に嵌め合わせることができる。これにより、容器本体２０に対する蓋体３０の開き角度θを任意の角度にしても、第１ピン６１および第２ピン６２が蓋体３０の重量に抗して、容器本体２０に対して回転軸Ｏ２回りに相対回転することを抑制できる。
【００３７】
また、例えば、第１ピン６１および第２ピン６２のそれぞれにおいて、蓋体３０に形成された側の蓋体側穴部３５ａ，３５ｂに嵌め合わされた部分の回転軸方向の寸法Ｌ１ｂ，Ｌ２ｂが比較的大きい場合、第１ピン６１および第２ピン６２が蓋体３０から力を受けやすい。そのため、蓋体３０の重量によって第１ピン６１および第２ピン６２が蓋体３０と共に回転しやすくなり、蓋体３０を任意の開き角度θに維持しにくくなる。
【００３８】
これに対して本実施形態によれば、第１ピン６１および第２ピン６２のそれぞれにおいて、蓋体３０に形成された側の蓋体側穴部３５ａ，３５ｂに嵌め合わされた部分の回転軸方向の寸法Ｌ１ｂ，Ｌ２ｂは、７．０ｍｍ以下である。そのため、第１ピン６１および第２ピン６２が蓋体３０から力を受けにくく、第１ピン６１および第２ピン６２が蓋体３０と共に回転することを抑制できる。これにより、蓋体３０を任意の開き角度θに維持しやすい。
【００３９】
以上のように、本実施形態によれば、第１ピン６１および第２ピン６２における本体側穴部２５ａ，２５ｂ，３５ａ，３５ｂに嵌め合わされる長さを調整することによって、蓋体３０の開き角度θを任意の角度に維持することができる。したがって、本実施形態によれば、別部材等を設けることなく、容器本体２０に対する蓋体３０の開き角度θを任意の角度に維持することができ、コンパクト容器１０の構造を簡易にできる。
【００４０】
また、本実施形態によれば、第１ピン６１および第２ピン６２のそれぞれにおいて、容器本体２０に形成された側の本体側穴部２５ａ，２５ｂに嵌め合わされた部分の回転軸方向の寸法Ｌ１ａ，Ｌ２ａは、５．５ｍｍ以上である。そのため、第１ピン６１および第２ピン６２を容器本体２０の本体側穴部２５ａ，２５ｂに対して、より強固に嵌め合わせることができる。これにより、容器本体２０に対して回転軸Ｏ２回りに相対回転することをより抑制できる。
【００４１】
また、本実施形態によれば、第１ピン６１および第２ピン６２のそれぞれにおいて、蓋体３０に形成された側の蓋体側穴部３５ａ，３５ｂに嵌め合わされた部分の回転軸方向の寸法Ｌ１ｂ，Ｌ２ｂは、４．２ｍｍ以上、６．２ｍｍ以下である。これにより、第１ピン６１および第２ピン６２が蓋体３０から力をより受けにくくできる。また、第１ピン６１および第２ピン６２における蓋体３０に嵌め合わされる長さが小さくなり過ぎることを抑制でき、蓋体３０が自重によって第１ピン６１および第２ピン６２に対して相対回転することを抑制でき、より蓋体３０を任意の開き角度θに維持しやすい。
【００４２】
なお、本発明は前述の実施の形態に限定されるものではなく、本発明の趣旨を逸脱しない範囲において種々の変更を加えることが可能である。
第１ピン６１の回転軸方向の寸法と第２ピン６２の回転軸方向の寸法とは、互いに異なっていてもよい。第１ピン６１の各寸法Ｌ１ａ，Ｌ１ｂと第２ピン６２の各寸法Ｌ２ａ，Ｌ２ｂとは、互いに異なっていてもよい。第１ピン６１の外径と第２ピン６２の外径とは、互いに異なっていてもよい。各ピンにおいて、容器本体２０側の本体側穴部２５ａ，２５ｂに対する締め代と、蓋体３０側の蓋体側穴部３５ａ，３５ｂに対する締め代とは、互いに異なっていてもよい。第１ピン６１と第２ピン６２とは、互いに連結され、一体となっていてもよい。
また、上述した実施形態では、壁部２３ａ，２３ｂは容器本体２０に設けられ、凸部３４は蓋体３０に設けられる構成としたが、これに限られない。壁部が蓋体に設けられ、凸部が容器本体に設けられてもよい。
【実施例】
【００４３】
実施例１から実施例３と比較例１から比較例３とを比較して、本発明の効果について検証した。各実施例および各比較例において、第１ピンおよび第２ピンの各寸法は、表１に示す通りとした。また、各実施例および各比較例において、第１ピンの外径および第２ピンの外径は、１．５９ｍｍとした。第１ピンおよび第２ピンは、ステンレス（ＳＵＳ）製とした。容器本体および蓋体は、ＡＢＳ樹脂製とした。蓋体の質量は、５０ｇであった。各ピンは各穴部に圧入され、各ピンと各穴部との締め代は、０．０９ｍｍとした。
【００４４】
【表１】
2019080855.tif 000003
【００４５】
まず、各実施例および各比較例について、蓋体を、開き角度θが０°の状態（蓋体が閉じた状態）から開き角度θが１８０°の状態（蓋体が完全に開いた状態）に変化させてから、再び開き角度θが０°の状態に戻す開閉動作を所定回数行った。その後、蓋体を所定の開き角度θに開き、所定の開き角度θが維持できるか否かについて確認した。このとき所定の開き角度θが維持できた場合には、初めに行った所定回数の開閉動作において、常に所定の開き角度θの状態を維持できたと考えられるため、少なくとも所定回数、開き角度θを維持できるものとした。
【００４６】
上記の所定の開き角度θが維持できるか否かについての試験は、蓋体の開閉動作を３０回行った後に行い、開き角度θが維持できた場合には、さらに蓋体の開閉動作を２０回行った後に行った。これを繰り返し行い、各実施例および各比較例について、開き角度θを維持できる回数について計測を行った。例えば、蓋体の開閉動作を３０回行った後に開き角度θを維持でき、かつ、その後、蓋体の開閉動作を２０回行った後に開き角度θを維持できた場合には、少なくとも５０回、開き角度θを維持できるものとした。所定の開き角度θは、３０°の場合と、１２０°の場合についてそれぞれ行った。結果を表１に示す。
【００４７】
表１に示すように、実施例１から実施例３においては、開き角度θが３０°の場合においては１００回以上開き角度θを維持することができ、開き角度θが１２０°の場合においては３０回以上開き角度θを維持することができることが確認できた。一方、比較例１から比較例３では、開き角度θが１２０°の場合、開き角度θを維持できないことが確かめられた。また、開き角度θが３０°の場合においては、開き角度θを維持できるものの、維持できる回数は５０回以下であり、各実施例に比べて開き角度θを維持できなくなるまでの回数が少ないことが確認できた。
【００４８】
比較例１，２では、容器本体に形成された側の穴部に嵌め合わされた部分の回転軸方向の寸法Ｌ１ａ，Ｌ２ａが５．０ｍｍよりも小さいため、各ピンにおいて容器本体の穴部に対する嵌め合いが比較的弱く、開き角度θを１２０°において維持できなかったと考えられる。一方、比較例３では、蓋体に形成された側の穴部に嵌め合わされた部分の回転軸方向の寸法Ｌ１ｂ，Ｌ２ｂが７．０ｍｍよりも大きいため、各ピンが各蓋体から力を受けやすく、蓋体と共に各ピンが回転し、開き角度θを１２０°において維持できなかったと考えられる。
【００４９】
以上のことから、容器本体に形成された側の穴部に嵌め合わされた部分の回転軸方向の寸法Ｌ１ａ，Ｌ２ａを５．０ｍｍ以上とし、蓋体に形成された側の穴部に嵌め合わされた部分の回転軸方向の寸法Ｌ１ｂ，Ｌ２ｂを７．０ｍｍ以下とすることで、蓋体の開き角度を任意の角度に維持することができることが確かめられた。また、実施例１から実施例３によれば、比較例１から比較例３に比べて、所定の開き角度θで維持できる回数も多くできることが確かめられた。
【符号の説明】
【００５０】
１０…コンパクト容器、２０…容器本体、２３ａ，２３ｂ…壁部、２５ａ，２５ｂ…本体側穴部（穴部）、３５ａ，３５ｂ…蓋体側穴部（穴部）、３０…蓋体、３４…凸部、５０…ヒンジ部、６１…第１ピン、６２…第２ピン、Ｏ１…容器軸、Ｏ２…回転軸
【図１】
2019080855.tif 000004
【図２】
2019080855.tif 000005
【図３】
2019080855.tif 000006